(57)【要約】      （修正有）【課題】トラック等の走行が可能で、目地部が狭くなっても上方へ突出して危険になったりすることなく、前後方向に移動しても一方の固定目地プレート、中央目地プレート、他方の固定目地プレートを傾斜状態に位置させて、安全に使用することができる床用目地装置を得る。【解決手段】目地部側の一方の躯体に取付けられた一方のブラケット５と、目地部側の他方の躯体に取付けられた他方のブラケット６と、他方のブラケットと当接しないようにそれぞれ枢支された間隔保持バーと、一方の躯体の目地部側に固定された一方の固定目地プレート９と、他方の躯体の目地部側に固定された他方の固定目地プレートと、この他方の固定目地プレート１０および一方の固定目地プレートに両端部が支持される中央目地プレート１１と、常時目地部の中央部に位置させるように取付けられた、少なくとも２個以上の中央維持機構１２とで床等目地装置を構成している。【選択図】図２
2005299335.tif 000002
【特許請求の範囲】
【請求項１】
目地部を介して設けられた左右の躯体の目地部側の一方の躯体に所定間隔で４複数枚、先端部が水平方向に回動可能に取付けられた、該目地部の幅寸法のほぼ３分の２の長さの板状の一方のブラケットと、前記左右の躯体の目地部側の他方の躯体に前記複数枚の一方のブラケット間に上部がほぼ同一面となるように位置し、先端部が水平方向に回動可能に取付けられた、該目地部の幅寸法のほぼ３分の２の長さの板状の他方のブラケットと、前記複数枚の一方のブラケットの先端部寄りの底面に、前記他方のブラケットと当接しないようにそれぞれ枢支された間隔保持バーと、前記一方の躯体の目地部側に前記複数枚の一方のブラケットに支持されるように固定された、前記目地部の幅寸法のほぼ３分の１の長さの一方の固定目地プレートと、前記他方の躯体の目地部側に前記複数枚の他方のブラケットに支持されるように固定された、前記目地部の幅寸法のほぼ３分の１の長さの他方の固定目地プレートと、この他方の固定目地プレートおよび前記一方の固定目地プレートに両端部が支持される、前記目地部の幅寸法のほぼ３分の２の長さの中央目地プレートと、この中央目地プレートの中央部を常時目地部の中央部に位置させるように取付けられた、少なくとも２個以上の中央維持機構とを備えることを特徴とする床用目地装置。
【請求項２】
目地部を介して設けられた左右の躯体の目地部側の一方の躯体に所定間隔で複数枚、先端部が水平方向に回動可能に取付けられた、該目地部の幅寸法のほぼ３分の２の長さの板状の一方のブラケットと、前記左右の躯体の目地部側の他方の躯体に前記複数枚の一方のブラケット間に上部がほぼ同一面となるように位置し、先端部が水平方向に回動可能に取付けられた、該目地部の幅寸法のほぼ３分の２の長さの板状の他方のブラケットと、前記複数枚の一方のブラケットの先端部寄りの底面に、前記他方のブラケットと当接しないようにそれぞれ枢支された間隔保持バーと、前記一方のブラケットと他方のブラケットに支持される、前記目地部の幅寸法のほぼ３分の２の長さの中央目地プレートと、この中央目地プレートの中央部を常時目地部の中央部に位置させるように取付けられた、少なくとも２個以上の中央維持機構と、前記一方の躯体の目地部側に後端部が固定された先端部が前記中央目地プレートに支持される、前記目地部の幅寸法のほぼ３分の１の長さの一方の固定目地プレートと、前記他方の躯体の目地部側に後端部が固定された先端部が前記中央目地プレートに支持される、前記目地部の幅寸法のほぼ３分の１の長さの他方の固定目地プレートとを備えることを特徴とする床用目地装置。
【請求項３】
目地部を介して設けられた左右の躯体の目地部側の一方の躯体に所定間隔で複数枚、先端部が水平方向に回動可能に取付けられた、該目地部の幅寸法のほぼ３分の２の長さの板状の一方のブラケットと、前記左右の躯体の目地部側の他方の躯体に前記複数枚の一方のブラケットとそれぞれスライド移動可能で上部がほぼ同一面となるように位置し、先端部が水平方向に回動可能に取付けられた、該目地部の幅寸法のほぼ３分の２の長さの板状の他方のブラケットと、前記複数枚の一方のブラケットの先端部寄りの底面に、前記他方のブラケットと当接しないようにそれぞれ枢支された間隔保持バーと、前記一方の躯体の目地部側に前記複数枚の一方のブラケットに支持されるように固定された、前記目地部の幅寸法のほぼ３分の１の長さの一方の固定目地プレートと、前記他方の躯体の目地部側に前記複数枚の他方のブラケットに支持されるように固定された、前記目地部の幅寸法のほぼ３分の１の長さの他方の固定目地プレートと、この他方の固定目地プレートおよび前記一方の固定目地プレートに両端部が支持される、前記目地部の幅寸法のほぼ３分の２の長さの中央目地プレートと、この中央目地プレートの中央部を常時目地部の中央部に位置させるように取付けられた、少なくとも２個以上の中央維持機構とを備えることを特徴とする床用目地装置。
【請求項４】
目地部を介して設けられた左右の躯体の目地部側の一方の躯体に所定間隔で複数枚、先端部が水平方向に回動可能に取付けられた、該目地部の幅寸法のほぼ３分の２の長さの板状の一方のブラケットと、前記左右の躯体の目地部側の他方の躯体に前記複数枚の一方のブラケットとそれぞれスライド移動可能で上部がほぼ同一面となるように位置し、先端部が水平方向に回動可能に取付けられた、該目地部の幅寸法のほぼ３分の２の長さの板状の他方のブラケットと、前記複数枚の一方のブラケットの先端部寄りの底面に、前記他方のブラケットと当接しないようにそれぞれ枢支された間隔保持バーと、前記一方のブラケットと他方のブラケットに支持される、前記目地部の幅寸法のほぼ３分の２の長さの中央目地プレートと、この中央目地プレートの中央部を常時目地部の中央部に位置させるように取付けられた、少なくとも２個以上の中央維持機構と、前記一方の躯体の目地部側に後端部が固定された先端部が前記中央目地プレートに支持される、前記目地部の幅寸法のほぼ３分の１の長さの一方の固定目地プレートと、前記他方の躯体の目地部側に後端部が固定された先端部が前記中央目地プレートに支持される、前記目地部の幅寸法のほぼ３分の１の長さの他方の固定目地プレートとを備えることを特徴とする床用目地装置。
【請求項５】
目地部を介して設けられた左右の躯体の目地部側の一方の躯体に所定間隔で４複数枚、先端部が水平方向に回動可能に取付けられた、該目地部の幅寸法のほぼ３分の２の長さの板状の一方のブラケットと、前記左右の躯体の目地部側の他方の躯体に前記複数枚の一方のブラケット間に上部がほぼ同一面となるように位置し、先端部が水平方向に回動可能に取付けられた、該目地部の幅寸法のほぼ３分の２の長さの板状の他方のブラケットと、前記複数枚の一方のブラケットの先端部寄りの底面に、前記他方のブラケットと当接しないようにそれぞれ枢支された間隔保持バーと、前記複数枚の一方のブラケットおよび前記複数枚の他方のブラケットにスライド移動可能に一定間隔で支持された複数本の支持バーと、この複数本の支持バーにそれぞれ取付けられた先端部が所定量重なりスライド移動できる複数個の目地プレートと、前記複数本の支持バーを伸縮させるパンタグラフ状の少なくとも２個以上の伸縮リンク機構とを備えることを特徴とする床用目地装置。
【発明の詳細な説明】
【技術分野】
【０００１】
本発明は目地部を介して設けられた左右の躯体の床部分の目地部を覆う床用目地装置に関する。
【背景技術】
【０００２】
従来の床用目地装置は目地部を介して建てられた左右の建物の一方の建物の目地部側の床面に形成された支持凹部に上下移動可能に取付けられた目地プレート支持金具と、前記左右の建物の他方の建物の目地部側の床面に形成されたスライド凹部に固定された反目地部側が傾斜面に形成されたスライド支持金具と、一端が前記目地プレート支持金具に回動可能に取付けられ、他端が前記スライド支持金具に支持され前記目地部および該スライド支持金具を覆い、上面が前記左右の建物の床面とほぼ同一面となる目地プレートと、前記目地部の寸法が狭くなった場合に、一方の建物側の前記目地プレートを水平面となるように押し上げる目地プレート押し上げ機構とで構成されている。
【０００３】
このため、トラック等の走行が可能であるが、目地部が狭くなると目地プレートの先端部が他方の建物の目地部側の床面上へ突出して危険になるという欠点があった。
【特許文献１】特許第３３２８１９９号
【発明の開示】
【発明が解決しようとする課題】
【０００４】
本発明は以上のような従来の欠点に鑑み、トラック等の走行が可能で、目地部が狭くなっても上方へ突出して危険になったりすることなく、前後方向に移動しても一方の固定目地プレート、中央目地プレート、他方の固定目地プレートを傾斜状態に位置させて、安全に使用することができる床用目地装置を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の躯体の目地部側の一方の躯体に所定間隔で複数枚、先端部が水平方向に回動可能に取付けられた、該目地部の幅寸法のほぼ３分の２の長さの板状の一方のブラケットと、前記左右の躯体の目地部側の他方の躯体に前記複数枚の一方のブラケット間に上部がほぼ同一面となるように位置し、先端部が水平方向に回動可能に取付けられた、該目地部の幅寸法のほぼ３分の２の長さの板状の他方のブラケットと、前記複数枚の一方のブラケットの先端部寄りの底面に、前記他方のブラケットと当接しないようにそれぞれ枢支された間隔保持バーと、前記一方の躯体の目地部側に前記複数枚の一方のブラケットに支持されるように固定された、前記目地部の幅寸法のほぼ３分の１の長さの一方の固定目地プレートと、前記他方の躯体の目地部側に前記複数枚の他方のブラケットに支持されるように固定された、前記目地部の幅寸法のほぼ３分の１の長さの他方の固定目地プレートと、この他方の固定目地プレートおよび前記一方の固定目地プレートに両端部が支持される、前記目地部の幅寸法のほぼ３分の２の長さの中央目地プレートと、この中央目地プレートの中央部を常時目地部の中央部に位置させるように取付けられた、少なくとも２個以上の中央維持機構とで床等目地装置を構成している。
【発明の効果】
【０００７】
以上の説明から明らかなように、本発明にあっては次に列挙する効果が得られる。
【０００８】
（１）目地部側の一方の躯体に所定間隔で複数枚、先端部が水平方向に回動可能に取付けられた、該目地部の幅寸法のほぼ３分の２の長さの板状の一方のブラケットと、目地部側の他方の躯体に複数枚の一方のブラケット間に上部がほぼ同一面となるように位置し、先端部が水平方向に回動可能に取付けられた、該目地部の幅寸法のほぼ３分の２の長さの板状の他方のブラケットと、複数枚の一方のブラケットの先端部寄りの底面に他方のブラケットと当接しないようにそれぞれ枢支された間隔保持バーと、一方の躯体の目地部側に複数枚の一方のブラケットに支持されるように固定された目地部の幅寸法のほぼ３分の１の長さの一方の固定目地プレートと、他方の躯体の目地部側に複数枚の他方のブラケットに支持されるように固定された目地部の幅寸法のほぼ３分の１の長さの他方の固定目地プレートと、この他方の固定目地プレートおよび一方の固定目地プレートに両端部が支持される目地部の幅寸法のほぼ３分の２の長さの中央目地プレートと、この中央目地プレートの中央部を常時目地部の中央部に位置させるように取付けられた少なくとも２個以上の中央維持機構とで構成されているので、複数枚の板状の一方のブラケットおよび複数枚の板状の他方のブラケットで一方の固定目地プレート、他方の固定目地プレートおよび中央目地プレートを支持することができる。
したがって、トラック等の重量物が乗っても、十分な強度で支持することができる。
【０００９】
（２）前記（１）によって、目地部の幅寸法の３分の１の伸縮移動を一方の固定目地プレートと他方の固定目地プレートとスライド移動する中央目地プレートの移動によって吸収することができる。
【００１０】
（３）前記（１）によって、中央目地プレートの中央部を目地部の中央部に中央維持機構によって、常時位置させることができる。
したがって、一方の固定目地プレート、他方の固定目地プレート、中央目地プレート、一方のブラケットおよび他方のブラケットの寸法を目地部の幅寸法の３分の１の伸縮を可能にするための最小寸法に設定することができ、経済的に製造することができる。
【００１１】
（４）前記（１）によって、前後方向に揺れ動いた場合にも、中央維持機構で中央目地プレートの前後左右方向の中央部を目地部の前後左右方向の中央部に位置させることができる。
したがって、一方の固定目地プレート、中央目地プレート、他方の固定目地プレートの端部がクランク状となり、大きな開口部が生じるのを阻止することができる。
【００１２】
（５）請求項２、３、４、５も前記（１）〜（４）と同様な効果が得られる。
【発明を実施するための最良の形態】
【００１３】
以下、図面に示す本発明を実施するための最良の形態により、本発明を詳細に説明する。
【００１４】
図１ないし図７に示す本発明を実施するための最良の第１の形態において、１は目地部２を介して設けられた左右の躯体３、３間を連通させることができる本発明の床用目地装置で、この床用目地装置１は前記左右の躯体３、３の目地部側の一方の躯体３に所定間隔でヒンジ部材４、４によって先端部が水平方向に回動可能に取付けられた、前記目地部の幅寸法Ｌのほぼ３分の２の長さ寸法の複数枚の板状の一方のブラケット５と、前記左右の躯体３、３の目地部側の他方の躯体３にヒンジ部材４、４によって前記複数枚の一方のブラケット５間に上部がほぼ同一面となるように位置し、先端部が水平方向に回動可能に取付けられた、該一方のブラケット５より上下方向の寸法が短く、他はほぼ同じ寸法の複数枚の板状の他方のブラケット６と、前記複数枚の一方のブラケット５の先端部寄りの底面にそれぞれ枢支ピン７で枢支された間隔保持バー８と、前記一方の躯体３の目地部側に前記複数枚の一方のブラケット５に支持されるように固定された、前記目地部の幅寸法Ｌのほぼ３分の１の長さの一方の固定目地プレート９と、前記他方の躯体３の目地部側に前記複数枚の他方のブラケット６に支持されるように固定された、前記一方の固定目地プレート９と同じ寸法形状の他方の固定目地プレート１０と、この他方の固定目地プレート１０および前記一方の固定目地プレート９に両端部が支持される、前記目地部の幅寸法Ｌのほぼ３分の２の長さの中央目地プレート１１と、この中央目地プレート１１の中央部を常時目地部２の中央部に位置させるように取付けられた、少なくとも２個以上の中央維持機構１２、１２とで構成されている。
【００１５】
前記中央維持機構１２、１２は図３および図４に示すように、該中央維持機構１２、１２が設けるため広い間隔に形成された一方のブラケット５間に位置する様に両端部がコ字状の取付け金具１３、１３に枢支ピン１４、１４で前記左右の目地部側の躯体３、３に取付けられたパンタグラフ形状の伸縮リンク１５、１５と、この伸縮リンク１５、１５の前記目地部２の中央部に位置する中央枢支部１６、１６に取付けられたガイド部材１７、１７にガイドされて上下方向にスライド移動可能に取付けられたスライド杆１８、１８と、このスライド杆１８、１８に枢支された前記一方のブラケット５と他方のブラケット６上に支持される、前記中央目地プレート１１の中央部に複数本のビス１９等によって固定される支持バー２０とで構成されている。
【００１６】
上記構成の床用目地装置１は通常時は中央目地プレート１１の中央部が目地部２の中央部に位置し、両端部が一方の固定目地プレート９と他方の固定目地プレート１０と所定量重なった状態となっている．
【００１７】
地震等によって目地部２が狭くなると、図５に示すように、中央目地プレート１１の中央部は中央維持機構１２、１２によって、目地部２の中央部に位置されるため、一方の固定目地プレート９と他方の固定目地プレート１０が中央目地プレート１１の中央部方向へスライド移動して、最大目地部の幅寸法Lの３分の１が収縮する寸法分までの揺れ動きを吸収する。
【００１８】
目地部２が広くなると図６に示すように、中央目地プレート１１の中央部は中央維持機構１２、１２によって目地部２の中央部に位置されるため、一方の固定目地プレート９と他方の固定目地プレート１０が左右方向にスライド移動して、最大目地部の幅寸法Lの３分の１が伸長する寸法分までの揺れ動きを吸収する。
【００１９】
また、左右の躯体３、３が前後方向に揺れ動いた場合には、図７に示すように中央目地プレート１１の前後左右方向の中央部は中央維持機構１２、１２によって、目地部２の前後左右方向の中央部に位置するため、一方の固定目地プレート９、中央目地プレート１２、他方の固定目地プレート１０の端部はクランク状となり、大きな隙間が生じるのを阻止することができる。
[発明を実施するための異なる形態]
【００２０】
次に、図８ないし図２８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図８ないし図１０に示す本発明を実施するための第２の形態において、前記
本発明を実施するための最良の第１の形態と主に異なる点は、一対のラック２１、２１と、この一対のラック２１、２１と噛み合うピニオン２２と、このピニオン２２を回転可能に支持する前記一対のラック２１、２１にスライド移動可能に取付けられた筒状のピニオン支持体２３とからなる中央維持機構１２Ａ、１２Ａを用いた点で、このような中央維持機構１２Ａ、１２Ａを用いて構成した床用目地装置１Ａにしても、前記本発明を実施するための最良の第１の形態と同様な作用効果が得られる。
【００２２】
図１１ないし図１３に示す本発明を実施するための第３の形態において、前記本発明を実施するための最良の第１の形態と主に異なる点は、四角枠がほぼ水平に位置するように目地部側の一方の躯体３と他方の躯体３に枢支されたパンタグラフ状の伸縮リンク１５と、この伸縮リンク１５の中央部の対向するリンク部材１５ａ、１５ａに両端部が枢支ピン２４で枢支され、中央部にスライド杆１8が取付けられた中央リンク２５を使用する中央維持機構１２Ｂ、１２Ｂを用いた点で、このような中央維持機構１２Ｂ、１２Ｂを用いて構成した床用目地装置１Ｂにしても、前記本発明を実施するための最良の第１の形態と同様な作用効果が得られる。
【００２３】
図１４ないし図１６に示す本発明を実施するための第４の形態において、前記本発明を実施するための最良の第１の形態と主に異なる点は、一方のブラケット５と他方のブラケット６に中央目地プレート１１を支持させるとともに、該中央目地プレート１１の両端部に一方の固定目地プレート９、他方の固定目地プレート１０の先端部を重ねてスライド移動可能にした点で、このように構成した床用目地装置１Ｃにしても、前記本発明を実施するための最良の第１の形態と同様な作用効果が得られる。
【００２４】
図１７ないし図１９に示す本発明を実施するための第５の形態において、前記本発明を実施するための最良の第１の形態と主に異なる点は、先端部の下部が前方へ突出する上面が傾斜面２６、２６の一方の固定目地プレート９Ａおよび他方の固定目地プレート１０Ａと、この一方の固定目地プレート９Ａと他方の固定目地プレート１０Ａ間を段差なく覆う両端部の上面が外方へ突出し、下面が傾斜面２７、２７の中央目地プレート１１Ａと、この中央目地プレート１１Ａを必要に応じて常時下方へ付勢できるようにスライド杆１８、１８に付勢スプリング２８、２８が取付けられた中央維持機構１２Ｃ、１２Ｃとを用いた点で、このように構成した床用目地装置１Ｄにしても、前記本発明を実施するための最良の第１の形態と同様な作用効果が得られるとともに、通常時は一方の固定目地プレート９Ａ、中央目地プレート１１Ａ、他方の固定目地プレート１０Ａを段差なく配置することができる。
【００２５】
図２０ないし図２２に示す本発明を実施するための第６の形態において、前記本発明を実施するための最良の第１の形態と主に異なる点は、複数枚の一方のブラケット５の底面をほぼコ字状に折り曲げた支持部５ａを形成するとともに、この一方のブラケット５の支持部５ａにそれぞれスライド移動可能に他方のブラケット６を取付けた点で、このように構成した床用目地装置１Ｅにしても、前記本発明を実施するための最良の第１の形態と同様な作用効果が得られるとともに、常時複数枚の一方のブラケット５と他方のブラケット６を整列状態に位置させることができる。
【００２６】
図２３ないし図２５に示す本発明を実施するための第７の形態において、前記本発明を実施するための第６の形態と主に異なる点は、所定位置の一方のブラケット５と他方のブラケット６の上部対向面にラック２９、２９を取付けるとともに、
該ラック２９、２９とかみ合うピニオン３０を一方のブラケット５と他方のブラケット６にスライド移動可能なチャンネル状のカ゛イト゛部材３１に取付けた中央維持機構１２Ｄを用いた点で、このように構成した床用目地装置１Ｆにしても、前記本発明を実施するための第６の形態と同様な作用効果が得られる。
【００２７】
図２６ないし図２８に示す本発明を実施するための第８の形態において、前記本発明を実施するための第６の形態と主に異なる点は複数枚の一方のブラケット５および前記複数枚の他方のブラケット６にスライド移動可能に一定間隔で支持された複数本の支持バー３２と、この複数本の支持バー３２にそれぞれ取付けられた先端部が所定量重なりスライド移動できる複数個の目地プレート３３と、前記複数本の支持バー３２を伸縮させるパンタグラフ状の少なくとも２個以上の伸縮リンク機構３４、３４とを備えいた点で、このように構成した床用目地装置１Ｇにしても、前記本発明を実施するための第６の形態と同様な作用効果が得られる。
なお、前記複数個の目地プレート３３は肉厚分だけ順次高くしたものを用いたり、同じ形状の目地プレート３３を用い、取付け部を常時支持バー３２に押し圧する付勢スプリングを介して取り付けたものを用いても良い。
【産業上の利用可能性】
【００２８】
本発明は床用目地装置を製造する産業で利用される。
【図面の簡単な説明】
【００２９】
【図１】本発明を実施するための最良の第１の形態の平面図。
【図２】図１の２−２線に沿う断面図。
【図３】本発明を実施するための最良の第１の形態の目地プレートを外した状態の平面図。
【図４】本発明を実施するための最良の第１の形態の中央維持機構の説明図。
【図５】本発明を実施するための最良の第１の形態の目地部が狭くなった動作説明図。
【図６】本発明を実施するための最良の第１の形態の目地部が広くなった動作説明図。
【図７】本発明を実施するための最良の第１の形態の前後方向に揺れ動いた動作説明図。
【図８】本発明を実施するための第２の形態の平面図。
【図９】図８の９−９線に沿う断面図。
【図１０】本発明を実施するための第２の形態の中央維持機構の説明図。
【図１１】本発明を実施するための第３の形態の平面図。
【図１２】図１１の１２−１２線に沿う断面図。
【図１３】本発明を実施するための第３の形態の中央維持機構の説明図。
【図１４】本発明を実施するための第４の形態の平面図。
【図１５】図１４の１５−１５線に沿う断面図。
【図１６】本発明を実施するための第４の形態の目地部が狭くなった動作説明図。
【図１７】本発明を実施するための第５の形態の平面図。
【図１８】図１７の１８−１８線に沿う断面図。
【図１９】本発明を実施するための第５の形態の中央維持機構の説明図。
【図２０】本発明を実施するための第６の形態の平面図。
【図２１】図２０の２１−２１線に沿う断面図。
【図２２】本発明を実施するための第６の形態の一方のブラケットと他方のブラケットの説明図。
【図２３】本発明を実施するための第７の形態の平面図。
【図２４】図２３の２４−２４線に沿う断面図。
【図２５】本発明を実施するための第７の形態の中央維持機構の説明図。
【図２６】本発明を実施するための第８の形態の平面図。
【図２７】図２６の２７−２７線に沿う断面図。
【図２８】本発明を実施するための第８の形態の伸縮リンク機構の説明図。
【符号の説明】
【００３０】
１、１Ａ、１Ｂ、１Ｃ、１Ｄ、１Ｅ、１Ｆ、１Ｇ：床用目地装置、
２：目地部、                  ３：躯体、
４：ヒンジ部材、              Ｌ：目地部の幅寸法、
５：一方のブラケット、        ６：他方のブラケット、
７：枢支ピン、                ８：間隔保持バー、
９、９Ａ：一方の固定目地プレート、
１０、１０Ａ：他方の固定目地プレート、
１１、１１Ａ：中央目地プレート、
１２、１２Ａ、１２Ｂ、１２Ｃ、１２Ｄ：中央維持機構、
１３：取付け金具、            １４：枢支ピン、
１５：伸縮リンク、            １６：中央枢支部、
１７：ガイド部材、            １８：スライド杆、
１９：ビス、                  ２０：支持バー、
２１：ラック、                ２２：ピニオン、
２３：ピニオン支持体、        ２４：枢支ピン、
２５：中央リンク、            ２６：傾斜面、
２７：傾斜面、                ２８：付勢スプリング、
２９：ラック、                ３０：ピニオン、
３１：ガイド部材、            ３２：支持バー、
３３：目字プレート、          ３４：伸縮リンク。
【図１】
2005299335.tif 000003
【図２】
2005299335.tif 000004
【図３】
2005299335.tif 000005
【図４】
2005299335.tif 000006
【図５】
2005299335.tif 000007
【図６】
2005299335.tif 000008
【図７】
2005299335.tif 000009
【図８】
2005299335.tif 000010
【図９】
2005299335.tif 000011
【図１０】
2005299335.tif 000012
【図１１】
2005299335.tif 000013
【図１２】
2005299335.tif 000014
【図１３】
2005299335.tif 000015
【図１４】
2005299335.tif 000016
【図１５】
2005299335.tif 000017
【図１６】
2005299335.tif 000018
【図１７】
2005299335.tif 000019
【図１８】
2005299335.tif 000020
【図１９】
2005299335.tif 000021
【図２０】
2005299335.tif 000022
【図２１】
2005299335.tif 000023
【図２２】
2005299335.tif 000024
【図２３】
2005299335.tif 000025
【図２４】
2005299335.tif 000026
【図２５】
2005299335.tif 000027
【図２６】
2005299335.tif 000028
【図２７】
2005299335.tif 000029
【図２８】
2005299335.tif 000030